(57)【特許請求の範囲】
【請求項１】
電気機器を収納する開口を有する箱体と、この箱体の内壁面に沿って形成された筒状であって側面にリード線挿通部を有するプリント基板収納部と、このプリント基板収納部に収納されて前記リード線挿通部を通して前記電気機器に接続されたリード線を有し前記プリント基板収納部の先端より突出した発光素子を有するプリント基板と、前記発光素子を挿通可能な挿通孔を有しかつ前記プリント基板収納部の端部に掛止めする掛止爪を有する支持部材と、前記開口を閉じて前記発光素子の光を透過する透光部を有する蓋体とを備え、
前記プリント基板収納部が、前記内壁面に平行に立設され一側が前記内壁面に連続し他側と前記内壁面の間に前記リード線挿通部となるすき間を形成した半筒状部材と、これに対向する前記内壁面とにより形成され、
前記支持部材は、前記プリント基板を収納する凹部を有するとともに前記リード線挿通部を塞ぐ塞ぎ部を有し、この塞ぎ部にリード線挿通用の切欠を形成した電気機器の発光素子収納構造。
【発明の詳細な説明】
【０００１】
【発明の属する技術分野】
この発明は、回路遮断器等の電気機器の発光素子収納構造に関するものである。
【０００２】
【従来の技術】
電気機器に使用される発光素子は、たとえば箱体内に収納された電気機器の通電状態を表示するものである。従来例（たとえば実開平３−２９８８４  号）  を図１０に示す。すなわち、この電気機器の発光素子収納構造は、箱体１００内に収納したプリント基板１０１に支持板１０２を一定の間隔をおいて並設し、この支持板１０２の一部をプリント基板１０１の方向に折り曲げて発光素子支持片１０３を形成し、この発光素子支持片１０３を発光素子１０４の背面に当接させて発光素子１０４を支持し、発光素子１０４を箱体１００の表示孔１０７に通している。１０５はスイッチ、１０６は実装部品取付スペースである。
【０００３】
【発明が解決しようとする課題】
しかし、この電気機器の発光素子収納構造は、プリント基板１０１と支持板１０２の２つの部材を配設するスペースが箱体１００内に必要になるという欠点があった。
したがって、この発明の目的は、プリント基板を収納するスペースのみによって発光素子を支持できる電気機器の発光素子収納構造を提供することである。
【０００４】
【課題を解決するための手段】
請求項１記載の電気機器の発光素子収納構造は、電気機器を収納する開口を有する箱体と、この箱体の内壁面に沿って形成された筒状であって側面にリード線挿通部を有するプリント基板収納部と、このプリント基板収納部に収納されて前記リード線挿通部を通して前記電気機器に接続されたリード線を有し前記プリント基板収納部の先端より突出した発光素子を有するプリント基板と、前記発光素子を挿通可能な挿通孔を有しかつ前記プリント基板収納部の端部に掛止めする掛止爪を有する支持部材と、前記開口を閉じて前記発光素子の光を透過する透光部を有する蓋体とを備え、
前記プリント基板収納部が、前記内壁面に平行に立設され一側が前記内壁面に連続し他側と前記内壁面の間に前記リード線挿通部となるすき間を形成した半筒状部材と、これに対向する前記内壁面とにより形成され、
前記支持部材は、前記プリント基板を収納する凹部を有するとともに前記リード線挿通部を塞ぐ塞ぎ部を有し、この塞ぎ部にリード線挿通用の切欠を形成したものである。
【０００５】
請求項１記載の電気機器の発光素子収納構造によれば、リード線をリード線挿通部に挿通させてプリント基板をプリント基板収納部に収納することにより、発光素子を箱体の開口側に容易に立設することができ、プリント基板を収納するスペースのみによって発光素子を支持することができる。
【０００６】
また、前記発光素子を挿通可能な挿通孔を有しかつ前記プリント基板収納部の端部に掛止めする掛止爪を有する支持部材を設けている。
【０００７】
これにより、発光素子の位置決めをより一層簡単かつ確実に行うことができる。
また前記プリント基板収納部の前記リード線挿通部は軸方向の全体に形成され、前記支持部材は前記プリント基板を収納する凹部を有するとともに前記リード線挿通部を塞ぐ塞ぎ部を有し、この塞ぎ部にリード線挿通用の切欠を形成している。
【０００８】
このため、リード線挿通部を軸方向の全体に形成したため、支持部材をプリント基板収納部の軸方向に挿入するので収納しやすく、また塞ぎ部でリード線挿通部を塞ぐためプリント基板をほぼ完全に閉塞でき、しかも切欠を有するためリード線が出し易くなる。
【０００９】
【発明の実施の形態】
この発明の第１の実施の形態を適用した電気機器である回路遮断器を図１ないし図３により説明する。すなわち、この電気機器の発光素子収納構造は、箱体１と、プリント基板収納部２と、プリント基板３と、蓋体１０とを有する。箱体１は、電気機器４を収納する開口５を有する。実施の形態では、箱体１の底板１ａが建物の壁（図示せず）に取付けられ、建物の天井側となる箱体１の側板１ｂおよび床側となる側板１ｃにそれぞれ電線挿通部１６，１７を形成している。底板１ａには電気機器４の取付部６および位置位置決め部７を設けている。また取付部６および位置決め部７に沿って背の低い仕切り壁８を一体に立設し、その内壁面１ｄに近い端部８ａを内壁面１ｄと平行に折曲している。さらに側板１ｂの係止取付部１９′に係止部材１９を弾性変形可能に取付け、側板１ｃに外向きに係止部１８を一体に設けている。電気機器４は回路遮断器とし、開口５より箱体１内に挿入され、位置決め部７に位置決めされ、取付部６に取付けられている。４ａは端子、４ｂはオンまたはオフに操作するハンドルである。
【００１０】
プリント基板収納部２は、箱体１の内壁面１ｄに沿って形成された筒状であって側面にリード線挿通部２ａを有する。実施の形態では、プリント基板収納部２が箱体１の側壁と同程度の高さの断面略Ｕ字形に形成され、その一側が内壁面１ｄに一体に連接し、他側の下端が仕切り壁８の端部に連接してあり、内壁面１ｄとともに筒状を形成し、他側と内壁面１ｄとの間に軸方向の全長にわたってリード線挿通部２ａを形成している。
【００１１】
プリント基板３は、プリント基板収納部２に収納されてリード線挿通部２ａを通して電気機器４に接続されたリード線１２を有しプリント基板収納部２の先端より突出した発光素子９を有している。またプリント基板３に発光素子９を発光させる電子部品（図示せず）を実装している。実施の形態では、プリント基板３が縦長に形成され、その上端に長手方向に向けてたとえば発光ダイオード等の発光素子９が取付けられ、プリント基板３の下端にリード線１２を引き出している。また発光素子９およびリード線１２を除いてプリント基板３の全体を弾性材により形成した被覆体３′により被覆している。このプリント基板３をプリント基板収納部２の上端より挿入して収納し、このときリード線１２はリード線挿通部２ａに挿通する。そして発光素子９は電気機器４の状態に応じてリード線１２を通してプリント基板３の電子部品により発光制御される。
【００１２】
蓋体１０は、開口５を閉じて発光素子９の発光を透光させる透光部１１を有する。実施の形態では透光部１１が蓋体１０に形成された孔に埋設された透明部材で形成され、蓋体１０で開口を閉じることにより透光部１１が発光素子９の真上に位置する。また蓋体１０の中央部にハンドル操作穴１２を有し、蓋体１０の裏面側にスライド体１３をスライド自在に取付け、そのスライドつまみ１３ａをハンドル操作穴１２より外部に突出している。このスライドつまみ１３ａの内面には電気機器４のハンドルの先端を嵌合する嵌合凹部を有する。したがって、スライドつまみ１３ａをスライド操作すると、電気機器４のハンドル４ａがオンまたはオフに動作する。また蓋体１０はスライドつまみ１３ａを開閉自在に開閉する蓋１５をヒンジ付けしている。一方、蓋体１０の両端に係止部材１９に係止する被係止部（図示せず）および係止部１８に係止する被係止部（図示せず）を有し、被係止部の係止状態で蓋体１０が開口５を閉じ、係止部材１９をその弾性に抗して押すことにより蓋体１０を開くことができる。
【００１３】
この実施の形態によれば、リード線１２をリード線挿通部２ａに挿通させてプリント基板３をプリント基板収納部２に収納することにより、発光素子９を箱体１の開口５側に容易に立設することができ、プリント基板３を収納するスペースのみによって発光素子９を支持することができる。
この発明の第２の実施の形態を図４ないし図６に示す。すなわち、この電気器の発光素子収納構造は、第１の実施の形態において、プリント基板収納部２に圧入固定された支持部材２０を有し、この支持部材２０に発光素子９を抱持する抱持部２１を有するものである。支持部材２０は内壁面１ｄに当接する支持板部２３と、この支持板部２３の上端部に折曲された抱持部２１からなり、抱持部２１は支持板部２３が内壁面１ｄに当接した状態でプリント基板収納部２の内面に当接する当接部２４を有し、当接部２４の内側に内壁面１ｄと平行な方向に開口した発光素子９を抱持する切欠部２５を形成している。またリード線挿通部２ａの前方の内壁面１ｄの下端部側に内壁面１ｄの約半分の高さの立板２２を立設している。
【００１４】
この第２の実施の形態では、プリント基板１３を支持板部２３の内側に配置し、発光素子９を支持部材２０の切欠部２５に挿入し、これらを共にプリント基板収納部２内に収納すると、支持板部２３が内壁面１ｄに当接した状態で当接部２４がプリント基板収納部２の内面に当接し、このため抱持部２１が内壁面１ｄとプリント基板収納部２に挟まれ、切欠部２５が狭まって発光素子９を強く抱持し、発光素子９の位置決め固定を確実にする。またプリント基板３の一側部および支持板部２３がリード線挿通部２ａより露出し、支持板部２３の縁部が立板２２に接近ないし当接している。
【００１５】
その他は、第１の実施の形態と同様であり、同構成の部分に同一符号を付している。
第２の実施の形態によれば、支持部材２０により発光素子９を簡単に位置決めすることができる。その他は第１の実施の形態と同効果がある。
この発明の第３の実施の形態を図７ないし図９に示す。すなわち、この電気機器の発光素子収納構造は、第１の実施の形態において、発光素子９を挿通可能な挿通孔２７を有し、かつプリント基板収納部２の端部に掛止めする掛止爪２８を有する支持部材２０を設けたものである。３６はプリント基板３に実装された電子部品である。
【００１６】
実施の形態では、支持部材２０はプリント基板１３を収納する凹部３１を有するとともにリード線挿通部２ａを塞ぐ塞ぎ部３０を有し、この塞ぎ部３０にリード線挿通用の切欠２９を形成している。具体的な支持部材２０の形状は、塞ぎ部３０が側部および底部に開口した箱形をなして、内部を凹部３１としてあり、その側部の開口縁よりプリント基板収納部２の内面に嵌合する断面円弧部３３が外方に延出し、上端板３４に挿通孔２７を形成している。また掛止爪２８は上端板３４より断面円弧部３３に垂れ下がるように形成されクリップ状にしている。そして切欠２９は塞ぎ部３０の下端部に縦方向にスリット状に形成している。支持部材２０の凹部３１にプリント基板３を収納し、切欠２９にリード線１２を通し、挿通孔２７に発光素子９を挿通し、支持部材２０をプリント基板収納部２の上端より挿入し、プリント基板３の下端部３ａを底板１ａに支持させ、掛止爪２８をプリント基板収納部２の上端部に掛止する。この場合、発光素子９が挿通孔２７に圧入できる寸法にすると位置決めが確実になる。その他は第１の実施の形態と同様であり、共通部分に同一符号を付している。
【００１７】
第３の実施の形態によれば、発光素子９の位置決めをより一層簡単かつ確実に行うことができる。またリード線挿通部２ａを軸方向の全体に形成しているため、支持部材２０をプリント基板収納部２の軸方向に挿入するので収納しやすく、また塞ぎ部３０を塞ぐためプリント基板３をほぼ完全に閉塞でき、しかも切欠２９を有するためリード線が出し易くなる。
【００１８】
【発明の効果】
請求項１記載の電気機器の発光素子収納構造によれば、リード線をリード線挿通部に挿通させてプリント基板をプリント基板収納部に収納することにより、発光素子を箱体の開口側に容易に立設することができ、プリント基板を収納するスペースのみによって発光素子を支持することができる。
【００１９】
また前記発光素子を挿通可能な挿通孔を有しかつ前記プリント基板収納部の端部に掛止めする掛止爪を有する支持部材を設けたため、発光素子の位置決めをより一層簡単かつ確実に行うことができる。
【００２０】
前記プリント基板収納部の前記リード線挿通部は軸方向の全体に形成され、前記支持部材は前記プリント基板を収納する凹部を有するとともに前記リード線挿通部を塞ぐ塞ぎ部を有し、この塞ぎ部にリード線挿通用の切欠を形成したため、リード線挿通部を軸方向の全体に形成したため、支持部材をプリント基板収納部の軸方向に挿入するので収納しやすく、また塞ぎ部でリード線挿通部を塞ぐためプリント基板をほぼ完全に閉塞でき、しかも切欠を有するためリード線が出し易くなる。
【図面の簡単な説明】
【図１】この発明の第１の実施の形態の分解斜視図である。
【図２】蓋を開いた状態の外観斜視図である。
【図３】箱体のプリント基板収納部を示す部分拡大図である。
【図４】第２の実施の形態の一部の分解斜視図である。
【図５】プリント基板を収納した状態の部分斜視図である。
【図６】箱体のプリント基板収納部を示す部分平面図である。
【図７】第３の実施の形態の部分斜視図である。
【図８】プリント基板と支持部材を示す分解斜視図である。
【図９】箱体とプリント基板と支持部材とを示す部分分解斜視図である。
【図１０】従来例の断面図である。
【符号の説明】
１    箱体
１ｄ    内壁面
２    プリント基板収納部
２ａ    リード線挿通部
３    プリント基板
４    電気機器
５    開口
９    発光素子
１１    透光部
２０    支持部材
２１    抱持部
２７    挿通孔
２８    掛止爪
２９    切欠
３０    塞ぎ部
３１    凹部
【図１】
0003617151.tif 000002
【図２】
0003617151.tif 000003
【図３】
0003617151.tif 000004
【図４】
0003617151.tif 000005
【図５】
0003617151.tif 000006
【図６】
0003617151.tif 000007
【図７】
0003617151.tif 000008
【図８】
0003617151.tif 000009
【図９】
0003617151.tif 000010
【図１０】
0003617151.tif 000011